(57)【特許請求の範囲】
【請求項１】
縦線材と横線材を組み合わせて形成されるフェンスパネルと、支柱または胴縁とを備えたメッシュフェンスにおいて、
縦線材または横線材のいずれか一方の線材または双方の線材の端部に、筒状の螺旋状連結部が設けられ、前記縦線材端部の筒状の螺旋状連結部にあっては胴縁軸方向に対して傾斜するように設けられ、前記横線材端部の筒状の螺旋状連結部にあっては、支柱軸方向に対して傾斜するように設けられ、
その傾斜するように設けられた筒状の螺旋状連結部の内側に、前記支柱または胴縁が挿入されて、筒状の螺旋状連結部の内側が、支柱または胴縁の外周面に押圧するように係合することで、螺旋状連結部が支柱または胴縁に対してがたつくのを防止されて、円筒状連結部が胴縁または支柱に連結されていることを特徴とするメッシュフェンス。
【請求項２】
螺旋状連結部は、支柱または胴縁をその半径方向一方に押圧する力と、半径方向他方に押圧する力が吊り合うように弾性力を付与して挿入されていることを特徴とする請求項１に記載のメッシュフェンス。
【請求項３】
支柱または胴縁を挿入した間隔をおいて隣り合う前記螺旋状連結部は、互いに逆向きの螺旋とされていることを特徴とする請求項１または２に記載のメッシュフェンス。
【請求項４】
支柱または胴縁を挿入した隣り合う前記螺旋状連結部は、互いに同一向きの螺旋とされていることを特徴とする請求項１または２に記載のメッシュフェンス。
【請求項５】
縦線材と横線材が波形線材からなり、互いの波形の凹部と凸部をかみ合わせたクリンプ金網からなるフェンスパネルであることを特徴とする請求項１〜４のいずれかに記載のメッシュフェンス。
【請求項６】
縦線材と横線材が波部を有する線材からなり、縦線材の波形の凹部に横線材の直線部が嵌合し、横線材の凹部に縦線材の直線部が嵌合して形成された金網からなるフェンスパネルであることを特徴とする請求項１〜４のいずれかに記載のメッシュフェンス。
【請求項７】
支柱が、傾斜した地盤に立設されて、前記フェンスパネルが平行四辺形に変形して取り付けられた傾斜地対応のフェンスパネルであることを特徴とする請求項１〜５のいずれかに記載のメッシュフェンス。
【請求項８】
螺旋状連結部の内径側が、前記胴縁または支柱の外側面に圧着されていることを特徴とする請求項１〜７のいずれかに記載のメッシュフェンス。
【請求項９】
横方向または上下方向に間隔をおいて配置された多数の線材端部における多数の螺旋状連結部は、一方に傾斜する螺旋状連結部と、これに対称に他方に傾斜する螺旋状連結部とが組をなすように配置されていることを特徴とする請求項１〜８のいずれかに記載のメッシュフェンス。
【請求項１０】
前記フェンスパネルは、波型凹凸部分が形成された縦線材と横線材が編まれて平行四辺形に変形可能な金網であることを特徴とする請求項７に記載のメッシュフェンス。
【請求項１１】
筒状の螺旋状連結部は、円筒状の螺旋状連結部とされていることを特徴とする請求項１〜１０のいずれかに記載のメッシュフェンス。
【請求項１２】
筒状の螺旋状連結部は、手動により胴縁または支柱を挿入するための握り部とされていることを特徴とする請求項１〜１１に記載のメッシュフェンス。
【請求項１３】
間隔をおいて設置された一対の支柱に渡って胴縁が横軸により連結され、前記各支柱と横線材とが、または胴縁と縦線材とが、螺旋状連結部を介して取り付けられていることを特徴とする請求項１〜１２のいずれかに記載のメッシュフェンス。
【請求項１４】
縦線材と横線材を組み合わせて形成されるフェンスパネルと、支柱及び胴縁とを備えたメッシュフェンスの構築方法であって、
前記フェンスパネルの縦線材または横線材のいずれか一方の線材または双方の線材の端部に筒状の螺旋状連結部を有し、
前記螺旋状連結部は、予め、胴縁または支柱の軸方向に対して傾斜した状態で、螺旋が形成された螺旋状連結部とされ、
傾斜した螺旋状連結部の中心軸線を胴縁または支柱の中心軸線に近づけた状態で、螺旋状連結部に胴縁または支柱を挿入することを特徴とするメッシュフェンスの構築方法。
【請求項１５】
胴縁に装着された複数の螺旋状連結部、または胴縁に装着された複数の螺旋状連結部は、それぞれ、胴縁軸方向で複数の螺旋状連結部が胴縁に作用する力が吊り合うように、または支柱軸方向で複数の螺旋状連結部が支柱に作用する力が吊り合うように、それぞれ胴縁または支柱に対する傾斜角が異なる螺旋状連結部とされ、前記螺旋状連結部を手動操作により、傾斜した螺旋状連結部の中心軸線を胴縁の中心軸線または支柱の中心軸線に近づけた状態で、螺旋状連結部に胴縁または支柱を挿入することを特徴とする請求項１４に記載のメッシュフェンスの構築方法。
【発明の詳細な説明】
【技術分野】
【０００１】
本発明は、道路または鉄道等との境界あるいは私有地境界部に設置されるフェンスに関し、特に、メッシュフェンス及びその構築方法に関する。
【背景技術】
【０００２】
従来、縦線材と横線材を接合してなるフェンスパネルを胴縁または支柱に取り付ける構造として、線材の端部を巻曲げることにより環部を形成し、胴縁等の芯材に巻き付けるようにすることが知られている（例えば、特許文献１または２参照）。
また、クリンプされた線材を使用したフェンスも知られている（例えば、特許文献３参照）。
【特許文献１】実公昭６３−１７５４４号公報
【特許文献２】実公昭６３−４５４８１号公報
【特許文献３】特開２００６−１５２６１６号公報
【発明の開示】
【発明が解決しようとする課題】
【０００３】
前記従来の場合は、線材端部のリング状の環状部を、胴縁あるいは鋼管製支柱に装着した状態では、線材端部のリング状の環状部と胴縁または支柱との間に、がたが生じる恐れがあるという問題があった。また、密に巻き付ける場合には、現場施工が煩雑になったり、高い寸法精度が要求されるという問題がある。
本発明は前記の課題を有利に解消することができるメッシュフェンス及びその構築方法を提供することを目的とする。
【課題を解決するための手段】
【０００４】
前記の課題を有利に解決するために、第１発明のメッシュフェンスにおいては、縦線材と横線材を組み合わせて形成されるフェンスパネルと、支柱または胴縁とを備えたメッシュフェンスにおいて、
縦線材または横線材のいずれか一方の線材または双方の線材の端部に、筒状の螺旋状連結部が設けられ、前記縦線材端部の筒状の螺旋状連結部にあっては胴縁軸方向に対して傾斜するように設けられ、前記横線材端部の筒状の螺旋状連結部にあっては、支柱軸方向に対して傾斜するように設けられ、
その傾斜するように設けられた筒状の螺旋状連結部の内側に、前記支柱または胴縁が挿入されて、筒状の螺旋状連結部の内側が、支柱または胴縁の外周面に押圧するように係合することで、螺旋状連結部が支柱または胴縁に対してがたつくのを防止されて、円筒状連結部が胴縁または支柱に連結されていることを特徴とする。
第２発明では、第１発明のメッシュフェンスにおいて、螺旋状連結部は、支柱または胴縁をその半径方向一方に押圧する力と、半径方向他方に押圧する力が吊り合うように弾性力を付与して挿入されていることを特徴とする。
第３発明では、第１発明または第２発明のメッシュフェンスにおいて、支柱または胴縁を挿入した間隔をおいて隣り合う前記螺旋状連結部は、互いに逆向きの螺旋とされていることを特徴とする。
第４発明のメッシュフェンスでは、第１発明または第２発明において、支柱または胴縁を挿入した隣り合う前記螺旋状連結部は、互いに同一向きの螺旋とされていることを特徴とする。
また、第５発明では、第１発明〜第４発明のいずれかのメッシュフェンスにおいて、縦線材と横線材が波形線材からなり、互いの波形の凹部と凸部をかみ合わせたクリンプ金網からなるフェンスパネルであることを特徴とする。
第６発明では、第１発明〜第４発明のいずれかのメッシュフェンスにおいて、縦線材と横線材が波部を有する線材からなり、縦線材の波形の凹部に横線材の直線部が嵌合し、横線材の凹部に縦線材の直線部が嵌合して形成された金網からなるフェンスパネルであることを特徴とする。
また、第７発明では、第１発明〜第５発明のいずれかに記載のメッシュフェンスにおいて、支柱が、傾斜した地盤に立設されて、前記フェンスパネルが平行四辺形に変形して取り付けられた傾斜地対応のフェンスパネルであることを特徴とする。
また、第８発明では、第１発明〜第７発明のいずれかに記載のメッシュフェンスにおいて、螺旋状連結部の内径側が、前記胴縁または支柱の外側面に圧着されていることを特徴とする。
また、第９発明では、第１発明〜第７発明のいずれかのメッシュフェンスにおいて、横方向または上下方向に間隔をおいて配置された多数の線材端部における多数の螺旋状連結部は、一方に傾斜する螺旋状連結部と、これに対称に他方に傾斜する螺旋状連結部とが組をなすように配置されていることを特徴とする。
また、第１０発明では、第７発明のメッシュフェンスにおいて、波型凹凸部分が形成された縦線材と横線材が編まれて平行四辺形に変形可能な金網であることを特徴とする。
第１１発明では、第１発明〜第１０発明のいずれかに記載のメッシュフェンスにおいて、筒状の螺旋状連結部は、円筒状の螺旋状連結部とされていることを特徴とする。
第１２発明では、第１発明〜第１１発明いずれかメッシュフェンスにおいて、筒状の螺旋状連結部は、手動により胴縁または支柱を挿入するための握り部とされていることを特徴とする。
第１３発明では、第１発明〜第１２発明のいずれかのメッシュフェンスにおいて、間隔をおいて設置された一対の支柱に渡って胴縁が横軸により連結され、前記各支柱と横線材とが、または胴縁と縦線材とが、螺旋状連結部を介して取り付けられていることを特徴とする。
第１４発明のメッシュフェンスの構築方法においては、縦線材と横線材を組み合わせて形成されるフェンスパネルと、支柱及び胴縁とを備えたメッシュフェンスの構築方法であって、
前記フェンスパネルの縦線材または横線材のいずれか一方の線材または双方の線材の端部に筒状の螺旋状連結部を有し、
前記螺旋状連結部は、予め、胴縁または支柱の軸方向に対して傾斜した状態で、螺旋が形成された螺旋状連結部とされ、
傾斜した螺旋状連結部の中心軸線を胴縁または支柱の中心軸線に近づけた状態で、螺旋状連結部に胴縁または支柱を挿入することを特徴とする。
第１５発明では、第１４発明のメッシュフェンスの構築方法において、胴縁に装着された複数の螺旋状連結部、または胴縁に装着された複数の螺旋状連結部は、それぞれ、胴縁軸方向で複数の螺旋状連結部が胴縁に作用する力が吊り合うように、または支柱軸方向で複数の螺旋状連結部が支柱に作用する力が吊り合うように、それぞれ胴縁または支柱に対する傾斜角が異なる螺旋状連結部とされ、前記螺旋状連結部を手動操作により、傾斜した螺旋状連結部の中心軸線を胴縁の中心軸線または支柱の中心軸線に近づけた状態で、螺旋状連結部に胴縁または支柱を挿入することを特徴とする。
【発明の効果】
【０００５】
本発明によると、胴縁または支柱に装着されるフェンスパネルにおける線材端部の筒状の螺旋状連結部を胴縁軸方向または支柱軸方向に対して傾斜させる簡単な構成で、傾斜した螺旋状連結部を胴縁または支柱の軸方向に沿うように、螺旋状連結部の傾斜を矯正するように弾性変形させて、フェンスパネルにおける胴縁または支柱の外側面に、螺旋状連結部の内径側を押圧するように係合させて、螺旋状連結部とこれを装着する胴縁または支柱とのがたつきを確実に防止した状態で連結することができる効果が得られる。
また、螺旋状連結部は、支柱または胴縁をその半径方向一方に押圧する力と、半径方向他方に押圧する力が吊り合うように弾性力を付与して挿入されていると、螺旋状連結部に接続している線材に分力が作用することがないので、フェンスパネルを変形させることはない。
また、支柱または胴縁を挿入した間隔をおいて隣り合う螺旋状連結部は、互いに逆向きの螺旋とされていると、胴縁または支柱に対して、左右方向（または上下方向）に隣り合う一方の線材（例えば、左右方向の左に位置する縦線材）を正面側から、隣り合う他方の線材（例えば、左右方向の右に位置する縦線材）を背面側から胴縁または支柱にあたかも巻き付くように装着する場合、これに交差する線材（例えば、縦線材）を、前記隣り合う一方および他方の線材で、胴縁（または支柱）に最も近い位置に配置されている横線材（または縦線材）の表裏に配置して、その線材を表裏から保持するように配置することも容易になり、螺旋状連結部の巻き方向も対称な配置も可能になるので、美観がよくなる。
また、支柱または胴縁を挿入した隣り合う前記螺旋状連結部は、互いに同一向きの螺旋とされていると、フェンスパネルあるいはメッシュフェンスに統一した美観を付与することができる。
また、縦線材と横線材が波形線材からなり、互いの波形の凹部と凸部をかみ合わせたクリンプ金網からなるフェンスパネルであると、平行四辺形等に変形することができるので、境界地の勾配に合わせて、フェンスパネルを変形することができ、またそのようなフェンスパネルを使用した傾斜地対応のメッシュフェンスを設置することができる。
また、縦線材と横線材が波部を有する線材からなり、縦線材の波形の凹部に横線材の直線部が嵌合し、横線材の凹部に縦線材の直線部が嵌合して形成された金網からなるフェンスパネルであると、フェンスパネルの片面が平滑になり、また網目の目動きがないので、安定したフェンスパネルを使用したメッシュフェンスとすることができる。
また、支柱が、傾斜した地盤に立設されて、前記フェンスパネルが平行四辺形に変形して取り付けられた傾斜地対応のフェンスパネルであるので、一つのフェンスパネルを変形して、傾斜地に対応し美観にも優れたフェンスパネルとしたメッシュフェンスとすることができる。
また、螺旋状連結部の内径側が、前記胴縁または支柱の外側面に圧着されているので、螺旋状連結部が、螺旋状連結部の内径側を胴縁または支柱の外側面に押すように係合させて、螺旋状連結部を胴縁または支柱の半径方向あるいは長手方向にずれ移動するのを防止することができる。
また、傾斜方向が対称に異なる螺旋状連結部を、組をなすように配置すると、胴縁または支柱に作用する分力あるいは縦線材または横線材が受ける反力により金網が受ける分力が相殺されるため、縦線材あるいは横線材がずれ移動することがないので、線材端部がずれて金網が変形する恐れがなく設置された金網の形態を安定させることができる。
また、波型凹凸部分が形成された縦線材と横線材が編まれて平行四辺形に変形可能な金網であるので、道路縦断勾配あるいは境界地の勾配にあわせて金網を平行四辺形に変形させて容易に対応させることができる。
また、筒状の螺旋状連結部が円筒状の螺旋状連結部であると、手動操作により螺旋状連結部の基端側およびこれに接続する縦線材または横線材を弾性変形させて、前記螺旋状連結部の傾斜角を変える場合に、作業員が握り部として利用して、胴縁または支柱の長手方向に沿うように一時的に弾性変形させて、胴縁または支柱を容易に挿入することができ、また、作業員が螺旋状連結部を解放した後には、螺旋状連結部の内側を胴縁または支柱の外側面に容易に押圧するように係合させることができる。
また、フェンスパネルにおける胴縁または支柱の内側面または外側面に、螺旋状連結部の内径側を圧着させて、線材端部とこれを装着する胴縁または支柱とのがたつきを確実に防止したメッシュフェンスであるので、風荷重等により騒音を発生することがなく、安定したメッシュフェンスとすることができる。
また、間隔をおいて設置された一対の支柱に渡って胴縁が横軸により連結されていると、支柱をコンクリート基礎に固定する前の状態では、支柱と胴縁とを相対的に回動させて、道路あるいは隣接地等の縦断勾配等に容易に対応することができ、施工の自由度が高い。
また、傾斜している螺旋状連結部の中心軸線を胴縁または支柱の中心軸線に近づけた状態とするだけで、容易に、螺旋状連結部に胴縁または支柱を挿入することができるため、フェンスパネルと胴縁または支柱の組立が短時間に容易に組み立てることができ、そのためメッシュフェンスを容易に構築することができる。
また、胴縁に装着された複数の螺旋状連結部、または支柱に装着された複数の螺旋状連結部は、それぞれ、胴縁軸方向で複数の螺旋状連結部が胴縁に作用する力が吊り合うように、または支柱軸方向で複数の螺旋状連結部が支柱に作用する力が吊り合うように、それぞれ胴縁または支柱に対する傾斜角が異なる螺旋状連結部とされ、螺旋状連結部を手動操作により、傾斜した螺旋状連結部の中心軸線を胴縁または支柱の中心軸線に近づけた状態で、螺旋状連結部に胴縁または支柱を挿入すると、胴縁または支柱に装着される複数の螺旋状連結部が胴縁または支柱に作用する力が吊り合っているため、胴縁または支柱に装着された縦線材または横線材が胴縁または支柱に対してずれ移動することはなく、メッシュフェンスが変形することはなく、また、螺旋状連結部を作業が握るなどして手動操作により、螺旋状連結部の中心軸線を胴縁または支柱の中心軸線に近づけて、螺旋状連結部に胴縁または支柱を容易に装着することができ、作業によりメッシュフェンスを容易に短時間で組み立てることができる。
【発明を実施するための最良の形態】
【０００６】
次に、本発明を図示の実施形態に基づいて詳細に説明する。
【０００７】
本発明の実施形態のフェンスパネル１は、複数の縦線材２と横線材３を格子状に編成して構成される。縦線材２と横線材３は、波形に屈曲されて、この波形部分を組み合わせてクリンプ金網としている。なお、クリンプ金網以外のフェンスパネルにも本発明を適用できる。
【０００８】
図３（ａ）に示すように、本発明では、フェンスパネル１を構成している縦線材２および横線材３の端部には、円筒状等の筒状で螺旋状に巻回された螺旋状連結部４が設けられている。
前記の螺旋状連結部４は、図示の形態では、線材の端部が連続して螺旋状に巻回加工が施されて、外径が螺旋状連結部４の長手方向に渡ってほぼ同径であると共に、内径が螺旋状連結部４の長手方向に渡ってほぼ同径である螺旋状連結部４とされ、かつ前記螺旋状連結部４は、線材の本体側（フェンスパネル側）に対して、直角以外の傾斜角αを付与されて加工されている。具体的には、螺旋状連結部４を胴縁または支柱の軸方向（長手方向）に沿って配置するため、胴縁または支柱の長手方向に対して傾斜するように加工されている。
前記の傾斜角αは、線径および螺旋ピッチ、あるいは螺旋の巻き数等により適宜設定される。作業員が手動で螺旋状連結部４の傾斜角αを弾性的に変えて、胴縁または支柱を挿入する上では、４５°を超える急傾斜角よりも緩傾斜角（例えば、５°〜３０°〜４５°）であるのが望ましい。
しかし、急傾斜角であると、螺旋状連結部４と胴縁または支柱とが押圧し合って係合する圧着力が高まるので、緩傾斜角よりも望ましい。前記のように、螺旋状連結部４の傾斜角が急傾斜であるか緩傾斜であるかは、一長一短があり、縦線材または横線材の線径および螺旋の巻き数等設計により適宜設定されるが、手動操作により、傾斜角αを弾性的に変化できるのが望ましい。
【０００９】
前記の螺旋状連結部４としては、線材の本体部とは別個の螺旋状連結部を溶接等により固定するようにしてもよいが、前記実施形態のように、フェンスパネル１本体部を構成する各線材から連続して曲げ加工して螺旋状連結部４を形成すると、作業員が手動操作で傾斜角を弾性的に変化させることが容易な安価な螺旋状連結部４を形成することができ、安価な螺旋状連結部４を有する線材とすることができる。
【００１０】
螺旋状連結部４の内径寸法は、螺旋状連結部４の内側に配置される胴縁８あるいは鋼管製の支柱５を内挿配置するので、胴縁８あるいは支柱５の外径寸法よりも僅かに大きい寸法とすればよい。また、この場合の前記の螺旋状連結部４の長手方向Ｙで、螺旋状連結部４基端側の半径方向の内側の位置と、螺旋状連結部４先端側の半径方向の内側の位置との変位差Ｇは、前記の胴縁８あるいは支柱５の外径寸法とこれよりも僅かに大きい前記螺旋状連結部４の内径寸法との寸法差以上とすればよい。
【００１１】
螺旋状の螺旋状連結部４の中間部は、直線状に傾斜するばかりでなく、多少蛇行するような螺旋状連結部であってもよい。螺旋状の螺旋状連結部４が全体として直線状に傾斜する形態では、少なくとも、螺旋状連結部４の基端側と先端側のリング状部が胴縁８または支柱５に圧着することができ、螺旋状連結部４がさらに上下方向あるいは前後方向さらには、左右方向に蛇行するような螺旋状連結部であると、３次元的に２点あるいは３点以上で胴縁８あるいは支柱５に圧着係合することができ、ガタ付きを一層防止することができる。
螺旋状連結部４の外径は、同径である必要はなく、多少径が変化していてもよい。
【００１２】
また、前記の螺旋状に巻回された螺旋状連結部４の内側に胴縁８あるいは支柱５が内挿されるため、螺旋状連結部４の螺旋のピッチは、胴縁８あるいは支柱５を内挿する場合に、螺旋状の螺旋状連結部４が弾性変形しながら、胴縁８あるいは支柱５をガイドして内挿すればよいので、胴縁８あるいは支柱５の内挿時に障害とならない程度であればよい。
【００１３】
次に、前記のような縦線材２と横線材３の各線材の螺旋状連結部４を装着する胴縁８あるいは支柱５との着脱可能な連結構造について説明する。
【００１４】
図１および図４に示すように、鋼管製支柱５上端部には、胴縁８側に向かって円弧状に彎曲したブラケット９の基端部を固定した蓋材が嵌合等により固定され、また、鋼管製胴縁８の両端部には、支柱５側に向かって円弧状に彎曲したブラケット９の基端部を固定した蓋材が嵌合等により固定され、支柱５側のブラケット９と、胴縁８側のブラケット９相互が重合されて、これらのブラケット９，９とに渡って挿通された横方向の連結軸１０（フェンスパネル面に対してほぼ直角な方向の連結横軸）により、支柱５と胴縁８とは、着脱可能に連結されていると共に、上下方向に多少回動可能に連結されているメッシュフェンス１１とされている。
【００１５】
従って、支柱をコンクリート基礎に固定する前の状態では、支柱５と胴縁８とを相対的に回動させて、道路あるいは隣接地等の縦断勾配等に容易に対応することができるメッシュフェンス１１とされている。
前記の支柱５側のブラケット９と胴縁８側のブラケット９とは、図４に示す平面視で、胴縁８および支柱５の左右方向の中心軸線を境にして前後に偏心した状態で設けられているため、支柱５側のブラケット９と胴縁８側のブラケット９は中心軸線を境にして重合された状態で連結可能にされている。
【００１６】
螺旋状連結部４に胴縁８または支柱５を挿通する場合、図３（ａ）に示すように、螺旋状連結部４の傾斜を変えないで、支柱または胴縁８を挿入するのではなく、図３（ｂ）に示すように、螺旋状連結部４の中心軸線を胴縁８または支柱５の中心軸線に近づけるように傾斜角を作業員の手動操作により変化させた状態で、胴縁８または支柱５を矢印Ｙ方向に挿入するとよい。
この場合、フェンスパネル１を構成している各横線材３の端部の傾斜した円筒状の螺旋状連結部４を手動操作用の把持部として利用して、作業員の手動操作により、フェンスパネル１における上下方向の多数の螺旋状連結部４内に渡って、例えば上部から下部に向かって、各横線材３の端部の傾斜した各螺旋状連結部４の中心軸線を支柱５の中心軸線に近づけるように、螺旋状連結部４の基端側およびこれに接続する縦線材または横線材を弾性変形させて、螺旋状連結部４の中心軸線を支柱５の中心軸線に近づけた状態で支柱５の基端部側から順次挿通配置可能にされている。
【００１７】
その後、弾性変形を解放することで、各螺旋状連結部４の内周側が支柱５の外側面に圧着されて係止され、また、各縦線材２の上端部の螺旋状連結部４内に渡って、左右方向一端側から他端側に向かって、順次、各縦線材２の端部の螺旋状連結部４を手動操作用の把持部として利用して、前記と同様に螺旋状連結部４の基端側を弾性変形させて、各螺旋状連結部４の中心軸線を胴縁８の中心軸線に近づけるようにして、胴縁８の端部側が挿通配置後、弾性変形を解放することで、各螺旋状連結部４の内周側が胴縁８の外側面に圧着されて係止されて、図９あるいは平行四辺形に変形した図１４に示す形態の１ユニットのメッシュフェンス１１が構成されている。なお、１ユニットのメッシュフェンス１１は適宜、地組みしてもよい。
前記のフェンスパネル１は、縦線材２と横線材３が波形線材からなり、互いの波形の凹部と凸部をかみ合わせたクリンプ金網からなるフェンスパネルであるので、互いの波形の凹部と凸部とは固定されていないために、全体として平行四辺形に変形可能にされている。
これらの場合において、前記の傾斜角αは、漸次変化して、圧着力が生じている。
【００１８】
なお、前記のメッシュフェンス１１における胴縁８の端部のブラケット９と支柱５の上端部のブラケット９とは、前記のようにボルト・ナットまたはピン接合等からなる連結軸１０により連結されて、前記２つの連結軸１０を中心にして変形可能な門型のフレーム構造とされている。
【００１９】
前記の門型フレーム内に配置されているフェンスパネル１は、これを構成している縦線材２の上端部に螺旋状連結部４を備え、横線材３の左右方向の両端部に螺旋状連結部４を備え、これらが編成されて、フェンスパネル１を構成している。
【００２０】
前記のフェンスパネル１を構成している間隔をおいて平行に配置されている各縦線材２の凹部７と凸部６は、間隔をおいて平行に配置されている横線材３の凸部６と凹部７に直交して係合している。縦線材２と横線材３が絡み合ってフェンスパネル１が形成されて、相互にずれないように編み込まれている。そのようなフェンスパネル１の螺旋状連結部４が胴縁８と支柱５に圧着係止されるように連結されている。
【００２１】
なお、各縦線材２および横線材３の線径は、図１７に示すように、波型の凹部７の深さ（ｈ）以下に設けるのが望ましい。このように構成することにより縦線材２と横線材３は、相手側の縦線材２と横線材３波型の凹部７内に納まって係合するので、凹部７から脱出しにくく安定した編成となると共に美観も向上する。また、縦線材２と横線材３は、例えば線径１．６ｍｍ〜２．６あるいは線径４ｍｍ等のものを適宜使用され、例えば、４Φｍｍの線径を規準として、線径（ｄ）と波型の凹部の深さ（ｈ）とピッチ（ｐ）は、略２：４：５に設けてもよく、それ以外の比率で設けてもよく、このように構成すると隣接する波型凹凸部分に互いに係合する縦線材２と横線材３は、互いに係合する相手側の線材の軸線方向にずれることがなく、しかも、前記線径に対して余裕を持たせて深さ（ｈ）とピッチ（ｐ）を設定しているため、縦線材２と横線材３とは互いに回動自在となる。即ち、縦線材２と横線材３の交差部を支点として、網目の平行四辺形を保って円滑に変形できる。
【００２２】
前記実施形態のように構成された１ユニットのメッシュフェンス１１は、図９の状態から、図１４に示すような平行四辺形の状態に変形可能であり、道路あるいは私有地等の傾斜した境界地における勾配に対応可能にされている。
【００２３】
前記のようなメッシュフェンス１１を直列（または屈折して）に配置する場合には、図１および図８に示すように、隣り合うメッシュフェンス１１における支柱５の上端部に渡って、横方向の両端部に凹部を有する一対のバンド片１２が前後に対向するように配置され、締め付け用ボルト・ナット１３により、前記各バンド片１２を接近するように締め付け固定して、支柱５の上端部または上部相互が連結される。
前記の各バンド片１２とボルト・ナット１３により上部固定バンド１４が構成されている。
【００２４】
また、隣り合うメッシュフェンス１１における支柱５の下端部に渡って、図１および図８に示すバンド片１２と同様で高さ寸法を高くした図１０に示すような高さのバンド片１２が配置されて、前記と同様に、上下方向に間隔をおいた複数のボルト・ナット１３により、支柱５の下端部相互が、下部固定バンド１５により連結固定されている。
【００２５】
また、前記の下部固定バンド１５および各支柱５の下端部は、コンクリート基礎１６内に埋め込み固定される。
【００２６】
次に、縦線材２と横線材３の端部の螺旋状連結部４の配置形態について、図５〜図７を参照して説明する。
図５〜図７および図１１または図１２に示す形態は、一方に傾斜する螺旋状連結部４を有する縦線材２（または横線材３）と、他方に傾斜する螺旋状連結部４を有する縦線材２（または横線材３）を、１本または複数本対称に組みをなすように配置して、螺旋状連結部に作用する力の吊り合いを取りながら、フェンスの美観を変化させた形態を示すものである。
【００２７】
より具体的に説明すると、図１１に示すように、螺旋状連結部４は、予め胴縁８または支柱５に対して傾斜するように形成されているため、間隔をおいた複数の螺旋状連結部４は互いに螺旋状連結部４の先端側のみがタッチした状態（または先端側が基端側よりも強くタッチした状態）では基端側に戻ろうとする力が作用する（胴縁に対して螺旋状連結部は左右方向等の胴縁長手方向に対してずれ移動、支柱に対して螺旋状連結部は上下方向の支柱に対してずれ移動）ので、傾斜方向を対称に配置された螺旋状連結部４相互では、互いに逆方向に戻ろうとする力が胴縁または支柱に作用する。そのため、螺旋状連結部４は、支柱５または胴縁８をその半径方向一方に押圧する力と、半径方向他方に押圧する力が吊り合うように弾性力を付与して挿入されているのが、望ましい。このようにする場合には、例えば、螺旋状連結部４を円筒状として、一定の傾斜角αとすると、基端側および先端側がほぼ支柱５または胴縁８の外周面に対して一方および他方側からほぼ均等に押圧するようになるので、望ましい。
【００２８】
また、図１１に示すように、間隔をおいて隣り合う組みをなす縦線材２（または横線材３）の螺旋状連結部４相互の傾斜、または、１本または複数本の縦線材を間に挟んで間隔をおいて組をなす螺旋状連結部４相互の傾斜を、螺旋状連結部４の基端側相互が、螺旋状連結部４の先端側に比べて遠い位置となるように対称に配置するようにしてもよく、あるいは、図１２に示すように、螺旋状連結部４の基端側相互が、螺旋状連結部４の半径方向で対称に偏心配置されていると共に、螺旋状連結部４の先端側相互が、螺旋状連結部４の半径方向で対称に偏心配置された状態でもよい。
【００２９】
例えば、図５（ａ）では、螺旋状連結部を備えていない縦線材２を１本挟んで、それぞれ螺旋状連結部４の傾斜方向が対称に異なる螺旋状連結部４を有する縦線材２を配置した形態で、このようにすると、胴縁８（支柱の場合も同様である）等に作用する分力あるいは縦線材（または横線材）が受ける反力によりフェンスパネル１が受ける分力が相殺されるため、縦線材あるいは横線材がずれ移動することがないので、フェンスパネル１が変形する恐れがなく、フェンスパネル１の形態を安定させることができる。
【００３０】
前記の応用形態として、図５（ｂ）に示すように、螺旋状連結部を備えていない縦線材２の１本置きに、同じ方向に傾斜する螺旋状連結部４を有する左側の３本の縦線材２に対称に、螺旋状連結部を備えていない縦線材２の１本置きに、前記と対称な方向に傾斜する螺旋状連結部４を有する縦線材２を右側に３本連続するように配置するようにしてもよい。
【００３１】
また、図６に示すように、図６の左側から、螺旋状連結部４の傾斜方向で、一方に傾斜する螺旋状連結部４を４Ａとし、対称に他方に傾斜する螺旋状連結部４を４Ｂとした場合、４Ａ、４Ａ、４Ｂ、４Ｂ、４Ｂ、４Ａ、４Ａ、４Ｂとし、一方に傾斜する螺旋状連結部４Ａと、前記と対称に他方に傾斜する螺旋状連結部４Ｂとを、それぞれ同数にすることにより、胴縁８（支柱の場合も同様である）等に作用する力あるいは縦線材または横線材が受ける反力によりフェンスパネル１が受ける力が相殺されるようにしてもよい。
【００３２】
また、図７（ａ）に示すように、傾斜方向が対称に異なるそれぞれの螺旋状連結部４を有する縦線材２間に、螺旋状連結部を備えていない間隔をおいた２本の縦線材２を挟んで１単位とし、隣り合う前記１単位間に、螺旋状連結部４を備えていない１本の縦線材２を挟むようにする配置形態でもよい。
【００３３】
また、図５（ｂ）の変形形態として、図７（ｂ）に示すように、螺旋状連結部を備えていない縦線材２の２本置きに配置された一方に傾斜する螺旋状連結部４（４Ａ）を有する左側の３本の縦線材２に対称に、螺旋状連結部を備えていない縦線材２の２本置きに配置された他方に傾斜する螺旋状連結部４（４Ｂ）を有する右側の３本の縦線材２を配置するようにしてもよい。
【００３４】
前記各形態のように組をなすように配置する形態以外にも、螺旋状連結部を備えていない縦線材２の本数を変える形態が可能である。また、図示を省略するが、支柱５に対する横線材３の配置形態も前記と同様にしてもよい。
【００３５】
前記の場合に、左右方向に間隔をおいて隣り合う縦線材２は、最上部の横線材３を表裏から抱きこむように配置するために、正面視で、最上部の横線材３の前側に配置される縦線材２の螺旋状連結部４の基端側は、胴縁８に対して背面側から巻き付くようになり、最上部の横線材３の背面側に配置される縦線材２の螺旋状連結部４の基端側は、胴縁８に対して前側から巻き付くようになり、螺旋状連結部４の傾斜方向には左右されない。
【００３６】
また、上下方向に間隔をおいて隣り合う横線材３は、左右方向で最端部の縦線材２を表裏から抱きこむように配置するために、正面視で、左右方向の最端部の縦線材２の前側に配置される横線材３の螺旋状連結部４の基端側は、支柱５に対して背面側から巻き付くようになり、最端部の縦線材２の背面側に配置される横線材３の螺旋状連結部４の基端側は、支柱５に対して前側から巻き付くようになり、螺旋状連結部４の傾斜方向には左右されない。
なお、螺旋状連結部４の巻き方向が異なる組み合わせとする場合には、螺旋状連結部４の巻き方向の対称な配置も可能になるので、美観がよくなる。
また、支柱または胴縁を挿入した隣り合う前記螺旋状連結部は、互いに同一向きの螺旋とされていると、フェンスパネルあるいはメッシュフェンスに統一した美観を付与することができ、製作も単純化できる。
【００３７】
前記のように構成されたメッシュフェンス１１であるので、これを道路あるいは境界地等に沿って配置する場合、図１３（ａ）（ｂ）、図１３（ｃ）（ｄ）、図１３（ｅ）（ｆ）、図１３（ｇ）（ｈ）に隣り合うフェンス相互の概略配置形態を示すように、道路等の曲がり、あるいは道路縦断勾配によって、対応することが可能である。
例えば、図１３（ａ）に示す平面形態で隣り合うメッシュフェンス１１を直線状に設置し、（ｂ）に示す正面形態で隣り合うメッシュフェンス１１を同レベルに設置する形態が可能である。
【００３８】
また、例えば、図１３（ｃ）に示す平面形態で隣り合うメッシュフェンス１１を「く」の字状に屈折するように設置し、（ｂ）に示す正面形態で隣り合うメッシュフェンス１１を同レベルに設置する形態が可能である。
【００３９】
また、例えば、図１３（ｅ）に示す平面形態で隣り合うメッシュフェンス１１を直線状に設置し、（ｆ）に示す正面形態で隣り合うメッシュフェンス１１を道路縦断勾配等に合わせて傾斜状態で設置する形態が可能である。
【００４０】
また、例えば、図１３（ｇ）に示す平面形態で隣り合うメッシュフェンス１１を「く」の字状に屈折するように設置し、（ｈ）に示す正面形態で隣り合うメッシュフェンス１１を道路縦断勾配等に合わせて、一方のメッシュフェンス１１を傾斜状態で設置し、他方のメッシュフェンス１１を水平形態で設置することが可能である。
【００４１】
尚、図１５は、図１３（ｂ）の形態を拡大して示す正面図であり、図１６は、図１３（ｆ）の形態を拡大して示す正面図である。
【００４２】
前記の実施形態のメッシュフェンス１１を設置する場合は、１ユニットのメッシュフェンス１１の状態で搬送し、各支柱５を所定の位置に配置すると共に、隣り合うメッシュフェンス１１における支柱相互を適宜固定バンド１４，１５により固定し、下部固定バンド１５を埋め込むようにコンクリートを打設して、コンクリート基礎１６を構築すればよい。
【００４３】
なお、支柱５と胴縁８とフェンスパネル１を分離した状態で現場近くまで搬送し、現場においてメッシュフェンスに組み立て、所定の矩形または平行四辺形に変形して設置し、コンクリート基礎１６により立設固定するようにしてもよい。
【００４４】
なお、前記のブラケット９の基端部を固定した蓋材が、支柱５の上端部の穴あるいは胴縁８の両端部の穴に、着脱可能に圧入固定して装着する形態では、前記のブラケット９付きの蓋材を取り外した状態で、フェンスパネル１の螺旋状連結部４を装着すると施工性がよく、このようにして螺旋状連結部を支柱５または胴縁８に装着した後、ブラケット９の基端部を固定した蓋材を支柱５または胴縁８の端部に圧入固定するようにすればよい。支柱５または胴縁８に直角な方向のブラケット９の張出し寸法が小さい場合には、ブラケット９の基端部を固定した蓋材８を支柱５または胴縁８に圧入固定した状態で螺旋状連結部４を装着するようにすることもできる。
【００４５】
前記実施形態のメッシュフェンス１１では、隣り合うメッシュフェンス１１における支柱５がそれぞれ独立し、固定バンド１４，１５により連結されているので、しかも各固定バンド１４，１５のバンド片１２はボルト１３を弛めた状態では、隣接するメッシュフェンス１１を水平回動してその支柱５を固定することができるので、メッシュフェンス１１の配置の自由度が高い。また、道路あるいは隣接地の縦断勾配にも容易に平行四辺形にフェンスを変形させて対応することができるので、施工の自由度が高く、また各メッシュフェンス１１は支柱５により仕切られて独立しているので、フェンスの剛性も高くなる。
【００４６】
本発明を実施する場合、螺旋状連結部４は、上下方向の一方向にのみ傾斜する形態を示したが、螺旋状連結部長手方向に直角な横方向にのみ傾斜する形態でもよく、あるいは、上下方向に傾斜する部分および横方向に傾斜する部分を有する螺旋状連結部４であってもよい。
筒状の螺旋状連結部４は、基端部の螺旋部に対して先端部の螺旋部が、筒状の螺旋状連結部４の半径方向のいずれの方向に偏心して、傾斜させるようにしてもよい。
【００４７】
なお、前記の螺旋状連結部４の胴縁８あるいは支柱５に対する傾斜角および螺旋状部の巻き数およびピッチは、線材端部の線径および剛性により設計に適宜設定される。
【００４８】
また、本発明を実施する場合、クリンプ金網以外のフェンスパネルとして、例えば、フラットトップ金網からなるフェンスパネルに螺旋状連結部を設けるようにしてもよい。前記のフラットトップ金網は、横線材および縦線材として、直線部を有する横線材および縦線材が用いられ、両方の線材に設ける波谷部を、例えば線材長手方向の片側に２ピッチおきに設けて、横線材または縦線材のいずれか一方の線材の波谷部を、他方の線材の直線部に収容するように網組まれたフェンスパネルである。横線材の凹部に縦線材の直線部が嵌合して形成された金網からなるフェンスパネルであると、フェンスパネルの片面が平滑になり、また網目の目動きがないので、安定したフェンスパネルを使用したメッシュフェンスとすることができる。
【図面の簡単な説明】
【００４９】
【図１】本発明の第１実施形態のフェンスにおける線材端部の取り付け構造を示す部分拡大正面図である。
【図２】（ａ）は図１のＡ−Ａ線断面図、（ｂ）は図１のＢ−Ｂ線断面図である。
【図３】（ａ）は、胴縁または支柱に装着される前の状態の螺旋状連結部を示す正面図、（ｂ）は、胴縁または支柱に装着された状態の螺旋状連結部を示す正面図である。
【図４】図１における胴縁と支柱との連結部を示す平面図である。
【図５】（ａ）および（ｂ）は螺旋状連結部の傾斜方向の異なる線材の配置形態を示す説明図である。
【図６】（ａ）および（ｂ）は螺旋状連結部の傾斜方向の異なる線材の配置形態を示す説明図である。
【図７】（ａ）および（ｂ）は螺旋状連結部の傾斜方向の異なる線材の配置形態を示す説明図である。
【図８】図１における隣合う支柱相互の連結部を示す横断平面図である。
【図９】フェンスの全体を示す正面図である。
【図１０】図１における隣り合う支柱の下端部相互の連結部およびコンクリート基礎との関係を示す正面図である。
【図１１】傾斜方向の異なる隣り合う螺旋状連結部の配置形態の一例を示す説明図である。
【図１２】傾斜方向の異なる隣り合う螺旋状連結部の配置形態を示す他の例を示す説明図である。
【図１３】隣り合うフェンスユニットの概略配置形態を示すものであって、（ａ）は平面図、（ｂ）は（ａ）の正面図、（ｃ）は平面図、（ｄ）は（ｃ）の正面図、（ｅ）は平面図、（ｆ）は（ｅ）の正面図、（ｇ）は平面図、（ｈ）は（ｇ）の正面図である。
【図１４】本発明のフェンスが平行四辺形状に変形した状態を示す正面図である。
【図１５】図１３（ｂ）に示す形態を拡大して示す正面図である。
【図１６】図１３（ｆ）に示す形態を拡大して示す正面図である。
【図１７】縦線と横線の線径と波型凹凸部分の深さ（ｈ）の関係を示す説明図である。
【符号の説明】
【００５０】
１  フェンスパネル本体（フェンスパネル）
２  縦線材
３  横線材
４  螺旋状連結部
５  支柱
６  凸部
７  凹部
８  胴縁
９  ブラケット
１０  連結軸
１１  メッシュフェンス
１２  バンド片
１３  ボルト・ナット
１４  上部固定バンド
１５  下部固定バンド
１６  コンクリート基礎
【図１】
0005053104.tif 000002
【図２】
0005053104.tif 000003
【図３】
0005053104.tif 000004
【図４】
0005053104.tif 000005
【図５】
0005053104.tif 000006
【図６】
0005053104.tif 000007
【図７】
0005053104.tif 000008
【図８】
0005053104.tif 000009
【図９】
0005053104.tif 000010
【図１０】
0005053104.tif 000011
【図１１】
0005053104.tif 000012
【図１２】
0005053104.tif 000013
【図１３】
0005053104.tif 000014
【図１４】
0005053104.tif 000015
【図１５】
0005053104.tif 000016
【図１６】
0005053104.tif 000017
【図１７】
0005053104.tif 000018